(57)【特許請求の範囲】
【請求項１】
回転軸を中心に回転して気体の流れを発生させる複数の翼を有するプロペラファンと、
該プロペラファンの翼の回転方向に沿って、前記翼の外周端より外側において、円筒状の壁面となる直管部、前記直管部よりも気体の吹出側となる吹出側開口部及び吸込側となる吸込側開口部を構成する壁面を形成し、前記気体を整流するためのベルマウスと、
該ベルマウスの前記吹出側開口部を覆う格子を有するファンガードと、
前記ベルマウスの直管部と平行な円筒状の風上側直管部と風下側直管部とを略Ｓ字上の曲管部で連結する壁面を有し、前記ファンガードと前記プロペラファンとの間に取り付けられる遮音板と
を備えることを特徴とする送風機。
【請求項２】
前記プロペラファンの径Ｄ、前記風上側直管部の径Ｄ1 、前記風下側直管部の径Ｄ2 について、Ｄ1 ＜Ｄ＜Ｄ2 の関係であることを特徴とする請求項１に記載の送風機。
【請求項３】
前記プロペラファンの径Ｄ、前記プロペラファンと前記遮音板との最短距離Ｈ1 について、Ｈ1 ≧０．００７Ｄの関係であることを特徴とする請求項１又は２に記載の送風機。
【請求項４】
前記プロペラファンの径Ｄ、前記遮音板の高さをＨ2 としたとき、Ｈ2 ≧０．０４Ｄの関係であることを特徴とする請求項１〜３のいずれかに記載の送風機。
【請求項５】
前記プロペラファンの径Ｄ、前記風上側直管部の径Ｄ1 、前記風下側直管部の径Ｄ2 について、（Ｄ2 −Ｄ1 ）／Ｄ≧０．０３の関係であることを特徴とする請求項１〜４のいずれかに記載の送風機。
【請求項６】
冷媒を圧縮する圧縮機と、
冷媒と空気との熱交換を行う室外熱交換器と、
請求項１〜５のいずれかに記載の送風機と
を備えることを特徴とする室外ユニット。
【請求項７】
熱交換対象と冷媒とを熱交換する複数の負荷側熱交換器及び該負荷側熱交換器に流入させる冷媒の圧力を調整する負荷側絞り装置を有する負荷ユニットと、
請求項６に記載の室外ユニットと
を配管接続して冷媒回路を構成することを特徴とする冷凍サイクル装置。
【発明の詳細な説明】
【技術分野】
【０００１】
この発明は、例えば空気調和装置等の構成に係る室外ユニット等に関するものである。
【背景技術】
【０００２】
例えば、羽根（プロペラ）を有するプロペラファンを回転させて空気の流れを発生させて、送風（冷却、排熱等）を行う送風機（ファンユニット）がある。このようなプロペラファンを有する送風機は、冷凍空気調和装置の室外ユニット（室外機）、冷蔵庫、換気扇、コンピュータ等の冷却装置等、幅広い分野で使われている（例えば特許文献１参照）。例えば、このような送風機のプロペラファンを回転させると、室外ユニットからは音が発生する。
【先行技術文献】
【特許文献】
【０００３】
【特許文献１】特許第４００３５４１号公報
【発明の概要】
【発明が解決しようとする課題】
【０００４】
ここで、例えば空気調和装置の室外ユニットは、多くの場合、屋外に設置される。送風機が有するプロペラファンの回転により室外ユニットが発生する音は、騒音となって近隣住民へ迷惑をかけることがある。このため、送風機の低騒音化が求められている。また、地球温暖化防止のため、空気調和装置（室外ユニット）の省エネルギー化が求められている。この場合、室外ユニットの高風量化が有効な手段であるが、高風量化は騒音が増加し、さらに近隣住民へ迷惑をかけることになる。このため、近隣住民への迷惑を抑え、省エネルギーを図るためには送風機の低騒音化は重要な技術である。
【０００５】
そこで、この発明の目的は、例えば騒音の抑制をはかることができる送風機等を得ることにある。
【課題を解決するための手段】
【０００６】
本発明に係る送風機は、回転軸を中心に回転して気体の流れを発生させる複数の翼を有するプロペラファンと、プロペラファンの翼の回転方向に沿って、翼の外周端より外側において、円筒状の壁面となる直管部、直管部よりも気体の吹出側となる吹出側開口部及び吸込側となる吸込側開口部を構成する壁面を形成し、気体を整流するためのベルマウスと、ベルマウスの吹出側開口部を覆う格子を有するファンガードと、ベルマウスの直管部と平行な円筒状の風上側直線部と風下側直線部とを略Ｓ字上の曲線部で連結する壁面を有し、ファンガードとプロペラファンとの間に取り付けられる遮音板とを備える。
【発明の効果】
【０００７】
この発明に係わる送風機では、ファンガードとプロペラファンとの間に遮音板を取り付けるようにしたので、プロペラファンの回転により発生する騒音を抑制することができる。また、騒音を抑制することで、騒音に係るエネルギーロスを抑え、省エネルギーをはかることができる。
【図面の簡単な説明】
【０００８】
【図１】この発明の実施の形態１に係る送風機の概略を表す図である。
【図２】この発明の実施の形態１に係る送風機を収容する室外ユニット６の一例を表す図である。
【図３】この発明の実施の形態１に係る送風機を収容する室外ユニット６の別の一例を表す図である。
【図４】プロペラファン１の翼面から出た流跡線を示す図である。
【図５】ベルマウス壁面における静圧変動のｒｍｓ値の分布を示す図である。
【図６】実施の形態１に係る遮音板１３を備えた送風機の概略を示す図である。
【図７】遮音板１３を表す図である。
【図８】遮音板１３の固定方法等について説明するための図である。
【図９】１０点法と呼ばれるＰＷＬの測定方法を説明するための図である。
【図１０】この発明の実施の形態２に係る送風機を説明するための図である。
【図１１】この発明の実施の形態３に係る送風機を説明するための図である。
【図１２】この発明の実施の形態４に係る送風機を説明するための図である。
【図１３】この発明の実施の形態５に係る冷凍空気調和装置の構成図である。
【発明を実施するための形態】
【０００９】
実施の形態１．
図１はこの発明の実施の形態１に係る送風機の概略を表す図である。図１では、プロペラファン１とベルマウス２０の断面図により表している。本実施の形態の送風機は、例えば空気調和装置等の冷凍サイクル装置の室外ユニットに搭載するものである。
【００１０】
プロペラファン１は、電力を受けたモータ等（図示せず）の駆動により複数の羽根（プロペラ、翼）が回転軸を中心に回転して空気（流体）の流れを発生させる軸流ファンである。特に限定するものではないが、ここではプロペラファン１は前進翼形状のファンであるものとして説明する。
【００１１】
ベルマウス２０は、プロペラファン１の周方向（回転方向）に沿ってプロペラファン１を覆い（プロペラファン１の周囲を囲み）、プロペラファン１の回転によってできる空気の流れについて整流をはかる。このため、プロペラファン１の周囲に、円管状に壁面が形成されることになる。ベルマウス２０は、吸込開口部２、直管部３及びディフューザ部４を有している。
【００１２】
一般に吸込開口部２はベルマウス２０の上流側（吸込側）において、空気（気体）を吸い込むために開口している部分（吸込開口部）である。本実施の形態のベルマウス２０では、プロペラファン１の回転軸と吸込開口部２の終端部分との間の距離（開口部分の径）が、回転軸と直管部３の面との間の距離（直管部３の径）よりも長い（吸込開口部２終端が拡がりを有している）。そして、直管部３の吸込側終端部分から吸込開口部２終端に到る内壁面（プロペラファン１との対向面）を湾曲面としている（断面形状は例えば円弧状になる）。湾曲面は曲率半径Ｒを有しているものとする。直管部３は、ベルマウス２０の内壁面が、プロペラファン１の回転軸と平行（空気の流れる方向に平行）になっている部分である（以下、他の部材等における直管部についても同様である）。
【００１３】
また、一般に吹出開口部となるディフューザ部４はベルマウス２０の下流側（吹出側）において、空気を吹き出すために開口している部分である。ディフューザ部４についても、プロペラファン１の回転軸と吹出開口部２の終端部分との間の距離（開口部分の径）が、回転軸と直管部３の面との間の距離（直管部３の径）よりも長い。そして、直管部３の吹出側終端（ディフューザ部４吸込側終端）からディフューザ部４吹出側終端にいたる内壁面が拡がりを有する斜面となっており、断面形状がテーパ状（ラッパ状）になるように形成している。ここで、本実施の形態のベルマウス２０は直管部３を有しているが、例えば吸込開口部２とディフューザ部４とにより内壁面を形成するようにしてもよい。
【００１４】
図２はこの発明の実施の形態１に係る送風機を収容する室外ユニット６の一例を表す図である。図２における室外ユニット６は、鉛直方向と反対側に向けた空気の流れ（上吹き）を形成するように、プロペラファン１を筐体内に設置している。また、ファンガード５は、プロペラファン１と他の物体等との接触を避け、両方の損傷を防ぎ、保護を行うものである。
【００１５】
図３はこの発明の実施の形態１に係る送風機を収容する室外ユニット６の別の一例を表す図である。図３の室外ユニット６では、図３（ａ）に示すように、水平方向に向けた空気の流れ（横吹き）を形成するように、プロペラファン１を筐体内に設置している。図３（ｂ）において、圧縮機７は、冷媒を吸入し、圧縮して高温・高圧の状態にして吐出する。特に限定するものではないが、例えばインバータ回路等により回転数を制御し、冷媒の吐出量を調整できる圧縮機で構成することができる。また、室外側熱交換器８は伝熱管とフィンとを有し、プロペラファン１の回転により室外ユニット６に流入した屋外の空気（外気）と伝熱管内を流れる冷媒とを熱交換させ、例えば冷媒からの冷却（外気への放熱）又は冷媒への放熱（外気からの吸熱）を行わせる。
【００１６】
以上のように構成した図２、図３に示した室外ユニット６において、室外ユニットから１ｍ離れた、様々な位置で騒音を測定すると、どちらの室外ユニット６もファンガード５の中央からファン回転軸上の下流側１ｍ離れた位置において騒音が最も大きいことがわかった。この理由について以下に説明する。
【００１７】
図４はプロペラファン１の翼面から出た流跡線を示す図である。図４（ａ）はベルマウス２０の直管部３が長い場合の流跡線を示し、図４（ｂ）は直管部３が短い場合の流跡線を示す。図４（ａ）、図４（ｂ）とも翼端渦１０が発生している。翼端渦１０は、プロペラファン１の外周端において、圧力面（風下側の翼面）と負圧面（風上側の翼面）との圧力差により、圧力面から負圧面に向かう流れが生じ、渦構造を有している。これがプロペラファン１の翼面の静圧変動を生じさせ、騒音源となる。
【００１８】
図５はベルマウス壁面における静圧変動のｒｍｓ値の分布を示す図である。図５は図４（ａ）の流跡線によって表された流れに基づくベルマウス２０における静圧変動のｒｍｓ値の分布を表している。この値が大きいほどベルマウス壁面から発生する騒音が大きくなる。静圧変動のｒｍｓ値に係る定義は以下の式（１）で表す通りである。ここで、静圧をｐs（ｔ） ＝ｐsa＋ｐs'（ｔ）としている（ｐsa：平均値、ｐs'（ｔ）：変動値）。
【００１９】
【数１】
0005773903.tif 000002
【００２０】
従って、プロペラファン１の回転に係る騒音は翼端渦１０がプロペラファン１の翼面やベルマウス壁面の静圧変動を大きくすることにより生じ、騒音源はプロペラファン１の翼面の外周側やベルマウス壁面となる。このため、図２、図３に示した室外ユニット６において、どちらの室外ユニット６もファンガード５の中央からファン回転軸上の下流側１ｍ離れた位置で測定した音が遮音する壁面がないため、最も大きくなる。
【００２１】
図６は実施の形態１に係る遮音板１３を備えた送風機の概略を示す図である。図６では断面により遮音板１３等を表している。本実施の形態の送風機は騒音を低減するための遮音板１３を備えるものとする。ここで、遮音板１３があることにより、ファンガード５の中央部分から、プロペラファン１の外周端及びベルマウス２０の直管部３が見えないようにする（図６等では記載の都合上、遮音板１３を短めに記載している）。また、ディフューザ直管部１７はディフューザ部４において風下側となる部分に位置する直管部分である。ここで、空気の流れる方向に対して、プロペラファン１と遮音板１３との最短距離をＨ1 とする。また、遮音板１３の高さ（空気の流れる方向の長さ）をＨ2 とする。
【００２２】
図７は遮音板１３を表す図である。図７では断面により遮音板１３を表している。遮音板１３は風上側直管部１４、風上側直管部１４と風下側直管部１６とをつなげる（連結する）ための曲管部であるＳ字部１５及び風下側直管部１６を有している。ここで、風上側直管部１４の径をＤ1 、風下側直管部１６の径をＤ2 、プロペラファン１の径をＤとすると、Ｄ1 ＜Ｄ＜Ｄ2 の関係を満たしているものとする。
【００２３】
図８は遮音板１３の固定方法等について説明するための図である。図８（ａ）に示すように、例えば、風下側直管部１６に結合している薄肉の複数のリブ１８を、ファンガード５にネジ止めすることで固定するようにしてもよい。ここで、例えば、リブ１８をファンガード５に嵌合させて固定することもできる。また、図８（ｂ）に示すように、遮音板１３の風下側直管部１６を、ファンガード５と結合しているリブ１９にネジ止めすることで固定するようにしてもよい。ここで、例えば、遮音板１３をリブ１９に嵌合させて固定することもできる。
【００２４】
図９は１０点法と呼ばれるＰＷＬの測定方法を説明するための図である。従来のＪＩＳ規格等では室外ユニットから所定位置離れた、１点における騒音値を用いていたが、近年、ＰＷＬ（パワーレベル）を用いた騒音値に変わりつつある。ＰＷＬ（ｄＢ）は次式（２）で表される。ここで、ＳＰＬi は点Ｓ1 〜Ｓ10の位置における騒音値（ｄＢ）、Ｎは測定点である。１０点法においては、測定点が１０点であるため、Ｎ＝１０である。
【００２５】
【数２】
0005773903.tif 000003
【００２６】
ここで、図６の送風機において、Ｄ1 ＝６９０ｍｍ、Ｄ2 ＝７１０ｍｍ、Ｄ＝７００ｍｍ、Ｈ1 ＝６０ｍｍ、Ｈ2 ＝７０ｍｍ、遮音板１３の肉厚を２ｍｍとする。この送風機を図２の室外ユニット６に搭載し、ファンガード５を通過する風量を２００ｍ3 ／ｍｉｎとしたときの１０点法によって測定したＰＷＬ（ｄＢ）、ファン入力（Ｗ）を、遮音板１３のあり、なしの場合について、表１に示す。
【００２７】
【表１】
0005773903.tif 000004
【００２８】
式（２）のＰＷＬは、最も大きなＳＰＬi の値に大きく依存する。図９ではプロペラファン１真上の位置にあたる点Ｓ1 の騒音値が最も大きい。これは、騒音源がプロペラファン１の外周端、ベルマウス２０の壁面（ベルマウス壁面）が騒音源となる場合に、騒音源と点Ｓ1 との間に、遮音する壁面がないためである。
【００２９】
表１により、遮音板１３が、翼面の外周側やベルマウス壁面から発生する騒音を遮音していることがわかる。また、プロペラファン１への入力増加は僅かであることから、遮音板１３による通風抵抗増加は小さいことがわかる。これはプロペラファン１による風向きが直管部３とほぼ平行であり、風はＳ字部１５において緩やかに風を変向しているため、剥離しておらず、通風抵抗は小さいからである。
【００３０】
以上より、本実施の形態の送風機においては、ベルマウス２０の直管部３と平行な風上側直管部１４、風下側直管部１６と、Ｓ字部１５とを有する遮音板１３を備え、Ｄ1 ＜Ｄ＜Ｄ2 の関係を満たすことで、プロペラファン１の翼面の外周側、ベルマウス壁面から発生する騒音を遮音することができ、ファンガード５の中心から風下方向の位置における騒音を抑えることができる。
【００３１】
実施の形態２．
図１０はこの発明の実施の形態２に係る送風機を説明するための図である。図６の送風機において、Ｄ1 ＝６９０ｍｍ、Ｄ2 ＝７１０ｍｍ、Ｄ＝７００ｍｍ、Ｈ2 ＝７０ｍｍ、遮音板１３の肉厚を２ｍｍとする。この送風機を図２の室外ユニット６に搭載し、ファンガード５を通過する風量を２００ｍ3 ／ｍｉｎとしたときのＰＷＬとＨ1 （Ｈ1 ／Ｄ）との関係を図１０で表している。ここで、Ｈ1 を変化させた分、ディフューザ直管部１７の長さも変化している。
【００３２】
図１０から、Ｈ1 ／Ｄ＝０．００７を境とし、Ｈ1 ／Ｄ＜０．００７においては、Ｈ1 ／Ｄの値が小さくなる程、ＰＷＬが大きくなる（騒音が大きくなる）。Ｈ1 ／Ｄ≧０．００７においては、ＰＷＬはほぼ一定となる。これは、風上側直管部１４の位置がプロペラファン１に近くなると、風上側直管部１４のプロペラファン１に近い壁面における静圧変動が大きくなるため、騒音源になる。風上側直管部１４をプロペラファン１から離すと、風上側直管部１４のプロペラファンに近い壁面における静圧変動が小さくなり、騒音源にならないためである。
【００３３】
従って、本実施の形態の送風機においては、Ｈ1 ≧０．００７Ｄとなるように送風機の位置関係を規定して構成することで、ファンガード５の中心から風下方向に位置する騒音を小さくすることができ、全体の騒音も小さくすることができる。ここで、Ｈ1 ／Ｄ≧０．００７ではＰＷＬはほぼ一定であり、Ｈ1 が長くなっても騒音低減効果はほぼ変わらないため、Ｈ1 ／Ｄの値の上限は特に規定しないものの、できる限り０．００７に近い方が、室外ユニット６を小型化することができる。
【００３４】
実施の形態３．
図１１はこの発明の実施の形態３に係る送風機を説明するための図である。図６の送風機において、Ｄ1 ＝６９０ｍｍ、Ｄ2 ＝７１０ｍｍ、Ｄ＝７００ｍｍ、Ｈ1 ＝６０ｍｍ、遮音板１３の肉厚を２ｍｍとする。この送風機を図２の室外ユニット６に搭載し、ファンガード５を通過する風量を２００ｍ3 ／ｍｉｎとしたときのＰＷＬとＨ2 （Ｈ2 ／Ｄ）との関係を図１１で表している。ここで、Ｈ2 を変化させた分、ディフューザ直管部１７の長さも変化している。
【００３５】
図１１から、Ｈ2 ／Ｄ＝０．０４を境とし、Ｈ2 ／Ｄ＜０．０４においては、Ｈ2 ／Ｄの値が小さくなる程、ＰＷＬが大きくなる（騒音が大きくなる）。Ｈ2 ／Ｄ≧０．０４においては、ＰＷＬはほぼ一定となる。これは、例えば、Ｈ2 ／Ｄ＜０．０４の場合には、プロペラファン１が吹き出した空気が遮音板１３に沿って流れなくなり、遮音板１３上の壁面で剥離が生じ、これが通風抵抗となる。一方、Ｈ2 ／Ｄ≧０．０４の場合には、プロペラファン１が吹き出した空気が緩やかに変向していき、遮音板１３に沿って流れて壁面で剥離が生じず、通風抵抗の発生が抑えられるためである。
【００３６】
従って、本実施の形態の送風機においては、遮音板１３の高さをＨ2 ≧０．０４Ｄとなるようにすることで、ファンガード５の中心から風下方向に位置する騒音を小さくすることができ、全体の騒音も小さくすることができる。ここで、Ｈ2 ／Ｄ≧０．０４ではＰＷＬはほぼ一定であり、Ｈ2 が長くなっても騒音低減効果はほぼ変わらないため、Ｈ2 ／Ｄの値の上限は特に規定しないものの、できる限り０．０４に近い方が、室外ユニット６を小型化することができる。
【００３７】
実施の形態４．
図１２はこの発明の実施の形態４に係る送風機を説明するための図である。図６の送風機において、Ｄ2 ＝７１０ｍｍ、Ｄ＝７００ｍｍ、Ｈ1 ＝６０ｍｍ、Ｈ2 ＝７０ｍｍ、遮音板１３の肉厚を２ｍｍとする。この送風機を図２の室外ユニット６に搭載し、ファンガード５を通過する風量を２００ｍ3 ／ｍｉｎとしたときのＰＷＬと（Ｄ2 −Ｄ1 ）／Ｄとの関係を図１２で表している。
【００３８】
図１２から、（Ｄ2 −Ｄ1 ）／Ｄ＝０．０３を境とし、（Ｄ2 −Ｄ1 ）／Ｄ＜０．０３においては、（Ｄ2 −Ｄ1 ）／Ｄの値が小さくなる程（Ｄ1 が大きくなる程）、ＰＷＬが大きくなる（騒音が大きくなる）。（Ｄ2 −Ｄ1 ）／Ｄ≧０．０３においては、ＰＷＬはほぼ一定となる。これは、例えば、（Ｄ2 −Ｄ1 ）／Ｄ＜０．０３の場合には、プロペラファン１が吹き出した空気が遮音板１３に沿って流れなくなり、遮音板１３上の壁面で剥離が生じ、これが通風抵抗となる。一方、（Ｄ2 −Ｄ1 ）／Ｄ≧０．０３の場合には、プロペラファン１が吹き出した空気が緩やかに変向していき、遮音板１３に沿って流れて壁面で剥離が生じず、通風抵抗の発生が抑えられるためである。
【００３９】
従って、本実施の形態の送風機においては、Ｄ2 −Ｄ1 ≧０．０３Ｄ（（Ｄ2 −Ｄ1 ）／Ｄ≧０．０３）となるようにすることで、ファンガード５の中心から風下方向に位置する騒音を小さくすることができ、全体の騒音も小さくすることができる。
【００４０】
実施の形態５．
図１３はこの発明の実施の形態５に係る冷凍空気調和装置の構成図である。本実施の形態では、上述した室外ユニット６を有する冷凍サイクル装置の一例として冷凍空気調和装置について説明する。図１３の冷凍空気調和装置は、前述した室外ユニット（室外機）６と負荷ユニット（室内機）２００とを備え、これらが冷媒配管で連結され、主となる冷媒回路（以下、主冷媒回路という）を構成して冷媒を循環させている。冷媒配管のうち、気体の冷媒（ガス冷媒）が流れる配管をガス配管３００とし、液体の冷媒（液冷媒。気液二相冷媒の場合もある）が流れる配管を液配管４００とする。
【００４１】
室外ユニット６は、本実施の形態においては、上述の実施の形態で説明した圧縮機７、室外側熱交換器８、四方弁１０２、室外側送風機１０４及び室外側制御装置１０５の各装置（手段）で構成する。
【００４２】
圧縮機７は、前述したように、吸入した冷媒を圧縮して吐出する。また、室外側熱交換器８は、前述したように、冷媒と空気（室外の空気）との熱交換を行う。ここで、本実施の形態の室外側熱交換器８は、例えば、暖房運転時においては蒸発器として機能し、液配管４００から流入した低圧の冷媒と空気との熱交換を行い、冷媒を蒸発させ、気化させる。また、冷房運転時においては凝縮器として機能し、四方弁１０２側から流入した圧縮機７において圧縮された冷媒と空気との熱交換を行い、冷媒を凝縮して液化させる。また、室外側熱交換器８には、冷媒と空気との熱交換を効率よく行うため、上述の実施の形態１〜４で説明した送風機を室外側送風機１０４として設けている。ここで、室外側送風機１０４についても、インバータ装置によりファンモータの運転周波数を任意に変化させてプロペラファン１の回転速度を細かく変化させるようにしてもよい。
【００４３】
四方弁１０２は、室外側制御装置１０５からの指示に基づいて冷房運転時と暖房運転時とによって冷媒の流れを切り換える。また、室外側制御装置１０５は、例えばマイクロコンピュータ等からなる。負荷側制御装置２０４と有線又は無線通信することができ、例えば、冷凍空気調和装置内の各種検知手段（センサ）の検知に係るデータに基づいて、インバータ回路制御による圧縮機７の運転周波数制御等、冷凍空気調和装置に係る各手段を制御して冷凍空気調和装置全体の動作制御を行う。
【００４４】
一方、負荷ユニット２００は、負荷側熱交換器２０１、負荷側絞り装置（膨張弁）２０２、負荷側送風機２０３及び負荷側制御装置２０４で構成される。負荷側熱交換器２０１は冷媒と空気との熱交換を行う。例えば、暖房運転時においては凝縮器として機能し、ガス配管３００から流入した冷媒と空気との熱交換を行い、冷媒を凝縮させて液化（又は気液二相化）させ、液配管４００側に流出させる。一方、冷房運転時においては蒸発器として機能し、負荷側絞り装置２０２により低圧状態にされた冷媒と空気との熱交換を行い、冷媒に空気の熱を奪わせて蒸発させて気化させ、ガス配管３００側に流出させる。また、負荷ユニット２００には、熱交換を行う空気の流れを調整するための負荷側送風機２０３が設けられている。この負荷側送風機２０３の運転速度は、例えば利用者の設定により決定される。負荷側絞り装置２０２は、開度を変化させることで、負荷側熱交換器２０１内における冷媒の圧力を調整するために設ける。
【００４５】
また、負荷側制御装置２０４もマイクロコンピュータ等からなり、例えば室外側制御装置１０５と有線又は無線通信することができる。室外側制御装置１０５からの指示、居住者等からの指示に基づいて、例えば室内が所定の温度となるように、負荷ユニット２００の各装置（手段）を制御する。また、負荷ユニット２００に設けられた検知手段の検知に係るデータを含む信号を送信する。
【００４６】
以上のように実施の形態５の冷凍空気調和装置では、実施の形態１〜４において説明した送風機を室外側送風機１０４として室外ユニット６に用いることで、室外ユニット６の騒音を抑制することができる。
【符号の説明】
【００４７】
１  プロペラファン、２  吸込開口部、３  直管部、４  ディフューザ部、５  ファンガード、６  室外ユニット、７  圧縮機、８  室外側熱交換器、１０  翼端渦、１３  遮音板、１４  風上側直管部、１５  Ｓ字部、１６  風下側直管部、１７  ディフューザ直管部、１８，１９  リブ、２０  ベルマウス、１０２  四方弁、１０４  室外側送風機、１０５  室外側制御装置、２００  負荷ユニット、２０１  負荷側熱交換器、２０２  負荷側絞り装置、２０３  負荷側送風機、２０４  負荷側制御装置、３００  ガス配管、４００  液配管。
【図１】
0005773903.tif 000005
【図２】
0005773903.tif 000006
【図３】
0005773903.tif 000007
【図６】
0005773903.tif 000008
【図７】
0005773903.tif 000009
【図８】
0005773903.tif 000010
【図９】
0005773903.tif 000011
【図１０】
0005773903.tif 000012
【図１１】
0005773903.tif 000013
【図１２】
0005773903.tif 000014
【図１３】
0005773903.tif 000015
【図４】
0005773903.tif 000016
【図５】
0005773903.tif 000017